(57)【特許請求の範囲】
【請求項１】
本体部と、前記本体部から延設された複数のリード線からなるリード線部と、前記リード線部の先端に設けられたコネクタとを備えたリード線付き部品を備え、
前記各リード線は、それぞれが金属線を合成樹脂で被覆したものから構成されて、前記リード線同士は離間可能であり、
前記リード線部が、前記複数のリード線がそれぞれの長さ方向が揃うように揃えられた状態で一緒に螺旋状にされることにより形成された螺旋部を有する第１の状態で、前記リード線付き部品の前記本体部が遊技機の遊技盤の所定部位に取り付けられ、
前記リード線部が、前記第１の状態から、前記螺旋部が長さ方向に伸長された第２の状態に変形されて、前記コネクタが、前記遊技盤に設けられた他の部品が備えるコネクタ接続部に接続されることを特徴とする遊技機。
【請求項２】
前記リード線部が、前記遊技盤の後面側に突出するセンター役物装置と画像表示器との組合わせの後部に掛かるように延設されて、前記コネクタが前記コネクタ接続部に接続されることを特徴とする請求項１記載の遊技機。
【発明の詳細な説明】
【技術分野】
【０００１】
本発明は、パチンコ遊技機、スロットマシン等の遊技機に関し、特に組み立てを容易にした遊技機に関する。
【背景技術】
【０００２】
下記特許文献１記載の遊技機では、遊技機の組み立ての際に、ゲートスイッチのコネクタが邪魔にならないように、ゲートスイッチの後端に突部を設け、その突部にゲートスイッチのコネクタを保持させた状態で、遊技機にゲートスイッチを取り付け、その後、コネクタを中継基板のコネクタ接続部に差し替えている。
【先行技術文献】
【特許文献】
【０００３】
【特許文献１】特開２００９−１０１２４６号公報
【発明の概要】
【発明が解決しようとする課題】
【０００４】
しかし、特許文献１記載の遊技機では、コネクタを突部に保持させてもゲートスイッチから延びるリード線（電気配線）の長さが約半分にしかならず、リード線の長さが長い場合には、コネクタではなくリード線が組み立ての邪魔になってしまうという問題があった。
【０００５】
本発明は、上述した問題を解決するものであり、リード線が組み立ての邪魔になる虞を低減可能な遊技機を提供することを目的とする。
【課題を解決するための手段】
【０００６】
本発明の遊技機は、本体部と、前記本体部から延設された複数のリード線からなるリード線部と、前記リード線部の先端に設けられたコネクタとを備えたリード線付き部品を備え、前記各リード線は、それぞれが金属線を合成樹脂で被覆したものから構成されて、前記リード線同士は離間可能であり、前記リード線部が、前記複数のリード線がそれぞれの長さ方向が揃うように揃えられた状態で一緒に螺旋状にされることにより形成された螺旋部を有する第１の状態で、前記リード線付き部品の前記本体部が遊技機の遊技盤の所定部位に取り付けられ、前記リード線部が、前記第１の状態から、前記螺旋部が長さ方向に伸長された第２の状態に変形されて、前記コネクタが、前記遊技盤に設けられた他の部品が備えるコネクタ接続部に接続されることを特徴とする。
【０００７】
また、前記リード線部が、前記遊技盤の後面側に突出するセンター役物装置と画像表示器との組合わせの後部に掛かるように延設されて、前記コネクタが前記コネクタ接続部に接続されることを特徴とする。
【発明の効果】
【０００８】
リード線部に螺旋部を設けることにより、リード線部の長さが短縮されるので、リード線部が組み立ての邪魔になってしまう虞を低減できる。
【図面の簡単な説明】
【０００９】
【図１】本発明の一実施形態に係るパチンコ遊技機の正面図である。
【図２】同パチンコ遊技機のゲートスイッチの斜視図である。
【図３】同パチンコ遊技機のゲートの部分分解斜視図である。
【図４】同パチンコ遊技機のゲートの斜視図である。
【図５】同パチンコ遊技機の電気系統のブロック図である。
【図６】同パチンコ遊技機のゲート接続工程における、ゲートを中継基板に接続する直前の状態の斜視図である。
【図７】図６の二点鎖線で囲んだ部分の拡大図である。
【図８】同パチンコ遊技機のゲート接続工程における、ゲートを中継基板に接続した後の状態の斜視図である。
【図９】図８の二点鎖線で囲んだ部分の拡大図である。
【図１０】図２のゲートスイッチの製造方法を説明するための図である。
【発明を実施するための形態】
【００１０】
本発明の一実施形態に係るパチンコ遊技機について、図面に基づいて説明する。図１に示すように、実施形態のパチンコ遊技機は、前面枠１０の内側に取着された遊技盤１を備え、遊技盤１の前面側には、ハンドル１１の操作により発射された遊技球が流下する遊技領域２が、レール１２で囲まれて形成されている。遊技領域２には、図示しない釘が多数突設されている。また、遊技盤１には、可動役物６、及び、盤ランプ１９が配置され、遊技盤１の中央部に形成された前後方向に貫通するルータ孔には、センター役物装置３が配置されている。前面枠１０には、複数の枠ランプ１７及びスピーカ１８が配設されている。
【００１１】
遊技領域２には、中央下部に第１始動入賞装置５ａが、右側下部に第２始動入賞装置５ｂが設けられている。第１始動入賞装置５ａは第１始動口５１ａを備え、第２始動入賞装置５ｂは、第２始動口５１ｂと電動チューリップと称される開閉部材（以下、「電チュー」という。）５０とを備え、電チュー５０は電チューソレノイド５３（図５参照）により開閉する。
【００１２】
遊技領域２には、大入賞口７１を有する大入賞装置７が設けられている。大入賞装置７は、大入賞口ソレノイド７２（図５参照）により動作して大入賞口７１を開閉する開閉部材７３を備えている。
【００１３】
また、遊技領域２には、複数の普通入賞装置９が設けられ、各普通入賞装置９に入った遊技球は、その普通入賞装置９内の普通入賞口９０に入賞する。
【００１４】
遊技領域２の外側には、普通図柄表示器１３、第１特別図柄表示器１４ａ、及び、第２特別図柄表示器１４ｂが設けられるとともに、普通図柄保留ランプ１５、第１特別図柄保留ランプ１６ａ、第２特別図柄保留ランプ１６ｂがそれぞれ４つ設けられている。
【００１５】
第１特別図柄表示器１４ａ、第２特別図柄表示器１４ｂは、図柄表示部に相当し、それぞれ、遊技球の第１始動口５１ａまたは第２始動口５１ｂへの入賞を契機として行われる大当たり抽選の結果を、変動表示を経て停止表示された図柄により報知する特別図柄変動を行うものである。なお、第１特別図柄表示器１４ａ及び第２特別図柄表示器１４ｂに表示される図柄を特別図柄という。大当たり抽選において大当たりと判定されれば、特別図柄は大当たり図柄で停止表示され、大入賞口７１を所定回数開閉する大当たり遊技が行われる。
【００１６】
遊技球が第１始動口５１ａまたは第２始動口５１ｂに入賞すると、メイン制御基板２０（図５参照）は、その入賞に対して取得した大当たり乱数、大当たり図柄乱数、及び、リーチ乱数を、第１始動口５１ａへの入賞であれば第１保留記憶部２７ａ（図５参照）に、第２始動口５１ｂへの入賞であれば第２保留記憶部２７ｂ（図５参照）に記憶（保留）する。そして、特別図柄変動を実行可能になったとき、即ち、前の入賞に対する特別図柄変動も大当たり遊技も実行されていない状態になったときに、記憶しておいた大当たり乱数を用いて大当たりか否かの判定を行い、大当たりの場合には大当たり図柄乱数を用いて停止表示する大当たり図柄を決定して、特別図柄変動を実行する。第１特別図柄保留ランプ１６ａ、第２特別図柄保留ランプ１６ｂは、それぞれ、第１保留記憶部２７ａ、第２保留記憶部２７ｂに記憶されている入賞情報の個数を表示するものである。なお、第１保留記憶部２７ａ、第２保留記憶部２７ｂに記憶される入賞情報は、それぞれ４個が上限とされている。
【００１７】
遊技領域２には、液晶表示装置である画像表示器４の表示部４ａが配置されている。画像表示器４は、客待ち用のデモ表示、第１始動口５１ａや第２始動口５１ｂへの遊技球の入賞に基づく装飾図柄変動演出、大当たり遊技に並行して行われる大当たり演出などを表示部４ａに表示する。
【００１８】
また、遊技領域２の右側には、遊技球が通過可能なゲート８が設けられている。普通図柄表示器１３は、遊技球のゲート８の通過を契機として行われる普通図柄抽選の結果に応じた普通図柄を、普通図柄の変動表示を経て停止表示するものであり、停止表示された普通図柄が当たり図柄であれば、所定時間及び所定回数電チュー５０を開く補助遊技が行われる。
【００１９】
普通図柄の変動表示中または補助遊技中に、遊技球がゲート８を通過すると、メイン制御基板２０は、その通過に対して取得した当たり乱数を記憶しておき、普通図柄の変動表示を開始可能な状態になったときに、記憶しておいた当たり乱数を用いて当たりか否かの判定を行い、普通図柄の変動表示を開始してその判定を報知する普通図柄を停止表示する。普通図柄保留ランプ１５は、このように記憶されている当たり乱数の個数を表示するものである。なお、記憶される当たり乱数は４個が上限とされている。
【００２０】
ゲート８は、リード線付き部品に相当し、図２〜４に示すように、装飾部材６２とスイッチ部８０とからなる本体部８９と、本体部８９から延設された２本のリード線８６からなるリード線部８８と、リード線部８８の先端（本体部８９とは反対側の端）に設けられたコネクタ８７とを備えている。詳しくは、ゲート８は、ゲートスイッチ８１と装飾部材６２とからなり、ゲートスイッチ８１は、図２に示すように、長方形の平板形状とされたスイッチ部８０と、スイッチ部８０から延設された２本のリード線８６からなるリード線部８８と、リード線部８８の先端に設けられたコネクタ８７とから構成されている。スイッチ部８０は、遊技球の通過を検知する球検知センサ８２と、球検知センサ８２が検知した信号を外部へ出力する端子部８３と、球検知センサ８２と端子部８３とを覆う樹脂製のケース部８４とを備え、端子部８３にリード線８６、８６すなわちリード線部８８が接続されている。リード線部８８は、遊技盤１へのゲート８の取付時において（すなわち、ゲート８が遊技盤１への取付工程に搬入された状態で）、図４に示すように、両端部８８ａ、８８ａを除く部分が螺旋状に形成された螺旋部８８ｂとされている。この図４に示す状態を第１の状態とする。
【００２１】
装飾部材６２は、スイッチ部８０を保持して遊技盤１に固定されるもので、図３に示すように、スイッチ部８０を収納する収納部６３と、スイッチ部８０を収納部６３に収納した状態に保持する係止爪６４と、遊技盤１にねじ固定するためのねじ孔６５ａを有したフランジ部６５と、遊技盤１に固定されたときに遊技者側に突出する突出部６６とを備える。
【００２２】
そして、図３に一点鎖線矢印で示すように、スイッチ部８０を、装飾部材６２の収納部６３に押し込むように挿入すれば、図４に示すように、係止爪６４がスイッチ部８０の角部８５に係合し、スイッチ部８０は収納部６３に抜け止めされて保持され、ゲート８が組み立てられる。ゲート８の本体部８９は、後述するように、図４に示す第１の状態で、装飾部材６２のフランジ部６５が、遊技盤１にねじ止めされることにより、所定部位（ここでは、図６に示すゲート取付孔６８の形成部位）に取り付けられる。
【００２３】
図５に示すように、実施形態のパチンコ遊技機は、メイン制御基板２０、払出制御基板２１、サブ制御基板２５を備え、サブ制御基板２５は、演出制御基板２２、画像制御基板２３、及び、ランプ制御基板２４を備えている。そして、払出制御基板２１及び演出制御基板２２はメイン制御基板２０に接続され、画像制御基板２３及びランプ制御基板２４は演出制御基板２２に接続されている。各制御基板は、ＣＰＵ、ＲＯＭ、ＲＡＭ等を備えている。また、メイン制御基板２０は、ＲＡＭ内に第１保留記憶部２７ａ及び第２保留記憶部２７ｂを有する保留記憶部２７を備えている。
【００２４】
メイン制御基板２０には、第１始動口５１ａ内に設けられて第１始動口５１ａに入賞した遊技球を検出する第１始動口ＳＷ（スイッチ）５４ａ、第２始動口５１ｂ内に設けられて第２始動口５１ｂに入賞した遊技球を検出する第２始動口ＳＷ５４ｂ、電チューソレノイド５３、ゲートＳＷ８１、大入賞口７１内に設けられて大入賞口７１に入賞した遊技球を検出する大入賞口ＳＷ７４、大入賞口ソレノイド７２、各普通入賞口９０内にそれぞれ設けられてその普通入賞口９０に入賞した遊技球を検出する普通入賞口ＳＷ９１、第１特別図柄保留ランプ１６ａ、第２特別図柄保留ランプ１６ｂ、普通図柄保留ランプ１５、第１特別図柄表示器１４ａ、第２特別図柄表示器１４ｂ、及び、普通図柄表示器１３がそれぞれ接続され、図５の矢印で示すように、各スイッチからはメイン制御基板２０に信号が入力され、各ソレノイドやランプにはメイン制御基板２０から信号が出力される。
【００２５】
また、メイン制御基板２０は、払出制御基板２１に各種コマンドを送信し、払出制御基板２１には、払出装置（図示せず。）を駆動する払出駆動モータ２６が接続されて、払出制御基板２１は、メイン制御基板２０から受信したコマンドに従って払出駆動モータ２６を動作させ、賞球の払出を行わせる。
【００２６】
さらに、メイン制御基板２０は、演出制御基板２２に対し各種コマンドを送信し、演出制御基板２２は、画像制御基板２３との間でコマンドや信号の送受信を行う。画像制御基板２３には画像表示器４及びスピーカ１８が接続され、画像制御基板２３は演出制御基板２２から受信したコマンドに従って、画像表示器４の表示部４ａに装飾図柄その他の画像を表示して、装飾図柄変動演出等を行い、また、スピーカ１８から音声を出力する。また、演出制御基板２２はランプ制御基板２４にコマンドを送信する。ランプ制御基板２４には、可動役物６、枠ランプ１７、及び、盤ランプ１９が接続され、ランプ制御基板２４は、演出制御基板２２から受信したコマンドに従って、可動役物６を作動し、枠ランプ１７や盤ランプ１９を点灯・消灯する。上記各基板は遊技盤１の後面１ｂ（図６参照）側に設けられる。ゲートスイッチ８１は、遊技盤１の後面１ｂ側に設けられた中継基板３０（図６参照）を介して、メイン制御基板２０に接続される。
【００２７】
次に、実施形態のパチンコ遊技機の作用について説明する。図６は、遊技盤１のゲート８接続工程における、ゲート８を中継基板３０に接続する直前の状態の斜視図であり、遊技盤１は、後面１ｂを上方に向けて、支持台１００に支持されている。支持台１００は、矩形状の支持板部１０２と、支持板部１０２の四隅部のそれぞれに、同じ高さで上方に突設された支持柱部１０１とから構成され、４つの支持柱部１０１に遊技盤１の四隅部が支持されている。遊技盤１を支持した支持台１００は、図示しないローラコンベヤに載置されて移送される。
【００２８】
図６に示す遊技盤１は、上述したルータ孔に後方からセンター役物装置３が配置され、さらにその後方から画像表示器４が配置されている。また、遊技盤１の後面１ｂ側には、メイン制御基板２０とゲート８との接続を中継する中継基板３０が取り付けられている。図６のゲート８は、既に遊技盤１に取り付けられた状態である。ゲート８は、図７に示すように、遊技盤１に穿設されたゲート取付孔６８に、遊技盤１の前面側からリード線部８８及びコネクタ８７が挿通されて、遊技盤１の後面側に引き出され、突出部６６及びフランジ部６５（図３参照）が遊技盤１の前面側に配置されて、フランジ部６５が遊技盤１の前面にねじ固定されることにより、本体部８９が遊技盤１に取り付けられている。
【００２９】
ここで、ゲート８は、遊技盤１への取付時には、上述したように、リード線部８８における両端部８８ａ、８８ａを除く部分を、螺旋状に形成された螺旋部８８ｂとした第１の状態とされている。したがって、図６に示すように、リード線部８８は、本来の長さ（直線状に伸ばしたときの長さ）よりも長さが短縮されているため、他の部品を取り付ける際の邪魔になり難く、リード線部８８が組み立ての邪魔になってしまう虞を低減できる。また、本実施形態では、図６に示すように、リード線部８８を遊技盤１の外側に垂らしたときに、コネクタ８７が支持板部１０２の上面に届かない（或いは、丁度届く位の）長さに短縮されている。したがって、図６の状態で支持台１００を次の工程に送ったときに、コネクタ８７が支持台１００の下方に潜り込んで支持台とローラコンベヤとの間に挟まれて、破損したり工程が滞ってしまったりする虞がない。なお、コネクタ８７を支持台１００の下方に潜り込ませないためには、少なくとも、リード線部８８を遊技盤１の外側に垂らしたときに、コネクタ８７が支持台１００より下方には配置されないような長さに短縮すればよい。
【００３０】
図６の状態で遊技盤１を支持した支持台１００を移送された作業者は、コネクタ８７を摘んで、図８に示すように中継基板３０（他の部品に相当。）に設けられたコネクタ接続部３１に接続する。このとき、リード線部８８の螺旋部８８ｂは、螺旋状に形成されているので、スムーズに伸び、リード線部８８は、図４、６に示す第１の状態から、図８、９に示すような螺旋部８８ｂが長さ方向に伸長された第２の状態に変形されて、コネクタ８７がコネクタ接続部３１に接続されることとなる。このように、ゲートスイッチ８１は、コネクタ８７を摘んで引っ張るだけで、リード線部８８がスムーズに伸びてコネクタ８７を接続できるので、コネクタ８７の接続作業が迅速に行える。上記特許文献１記載の電気部品では、コネクタを突部から取り外すときに、小さいコネクタに設けられた更に小さな解除片の操作が必要であり（同文献の段落０１３０参照）、迅速に接続作業を行えない虞があった。また、例えば、リード線部８８を折り畳んで輪ゴム等の結束部材で束ねることにより長さを短縮した場合には、結束部材を解く必要があり、リード線部８８を折り畳んで捻ることにより長さを短縮した場合には、リード線部８８を伸ばす途中で絡まって結び目ができてしまう虞があるため、いずれも、迅速に接続作業を行えない虞があった。しかしながら、ゲート８によれば、解除片の操作や結束部材を解く必要がなく、途中で結び目ができてしまう虞もなく、リード線部８８がスムーズに伸びることから、コネクタ８７の接続作業を迅速に行えることとなる。
【００３１】
また、図４に示すように、リード線部８８を構成する２本のリード線８６を揃えた状態で一緒に螺旋状に形成しているので、図９に示すように、リード線部８８を伸ばしたときに、２本のリード線８６が互いに捩れた状態で伸びる。このため、リード線部８８は、２本のリード線８６がばらけず、また、コネクタ接続部３１に接続するのに必要な長さだけ伸びて余分の長さが生じ難いことから、他の部品の取り付けの邪魔になる虞が少ない。
【００３２】
次に、図１０に基づいて、螺旋部８８ｂの形成方法について説明する。図１０において符号２００は回転工具であり、回転工具２００は断面円形の棒状部２０１を有し、棒状部２０１はその中心軸を回転軸として、図示しないモータにより図１０（ｂ）の矢印方向に回転するように構成されている。そして、棒状部２０１の先端部には、棒状部２０１の直径方向に沿って切り込まれた切込部２０２が形成されている。ゲートスイッチ８１のリード線部８８に螺旋部８８ｂを形成するときは、まず、図１０（ａ）に示すように、リード線部８８のコネクタ８７側の端部８８ａを、リード線８６、８６を揃えた状態で、切込部２０２に挟む。そして、図１０（ｂ）に示すように、棒状部２０１を回転させて、リード線８６、８６を揃えた（互いに平行にした）状態を保ったまま、リード線部８８を棒状部２０１に巻回する。リード線部８８を巻回する箇所は、棒状部２０１の先端部から徐々に棒状部２０１の基端部（先端部とは反対側の端部）の方にずらしていくことにより、リード線部８８同士が重ならないようにする。このように、リード線部８８の両端部８８ａを除く部分を棒状部２０１に巻回した後、切込部２０２から端部８８ａを抜き取るとともに、リード線部８８を棒状部２０１の先端方向にずらして棒状部２０１から抜き取れば、リード線部８８に螺旋部８８ｂが形成されることとなる。なお、各リード線８６は、金属線を合成樹脂で被覆したものであるので、可撓性を有するとともに、螺旋部８８ｂにおける螺旋形状を、力が加わらない状態では維持可能である。
【００３３】
以上説明したように、実施形態のパチンコ遊技機は、ゲート８の本体部８９が、リード線部８８が螺旋部８８ｂを有する第１の状態で、遊技盤１のゲート取付孔６８形成部位に取り付けられる。すなわち、ゲート８は、リード線部８８が本来の長さよりも短縮された状態で、遊技盤１に取り付けられる。このため、リード線部８８が組み立ての邪魔になってしまう虞を低減できる。しかも、螺旋部８８ｂの形成長さや径を調整することにより、リード線部８８の短縮量を調整でき、例えば実施形態のように、リード線部８８の長さを本来の長さの半分より短くすることもできる。実施形態では、本来の長さは約４７０ｍｍであるところ、約１００ｍｍに短縮している。
【００３４】
また、リード線部８８が、第１の状態から、螺旋部８８ｂが長さ方向に伸長された第２の状態に変形されて、コネクタ８７が、遊技機の中継基板３０に設けられたコネクタ接続部３１に接続される。この接続の際には、コネクタ８７を摘んで引っ張るだけで、リード線部８８が、結び目ができたりすることなくスムーズに伸びて第２の状態となるので、コネクタ８７の接続作業が迅速に行える。
【００３５】
なお、リード線部８８は、１本のリード線８６のみから構成されてもよいし、３本以上のリード線８６から構成されてもよい。
【００３６】
また、螺旋部８８ｂを、リード線部８８の全長に亘って（すなわち、両端部８８ａ、８８ａを含む全部において）形成してもよい。
【００３７】
また、螺旋部８８ｂの形成方法も上述したものに限らず、例えば、モータを用いずに断面円形状の棒状部材に手でリード線部８８を巻回して、その棒状部材からリード線部８８を抜き取ることとしてもよい。
【符号の説明】
【００３８】
１…遊技盤
８…ゲート（リード線付き部品）
３０…中継基板（他の部品）
３１…コネクタ接続部
８６…リード線
８７…コネクタ
８８…リード線部
８８ｂ…螺旋部
８９…本体部
【図１】
0005480803.tif 000002
【図２】
0005480803.tif 000003
【図３】
0005480803.tif 000004
【図４】
0005480803.tif 000005
【図５】
0005480803.tif 000006
【図６】
0005480803.tif 000007
【図７】
0005480803.tif 000008
【図８】
0005480803.tif 000009
【図９】
0005480803.tif 000010
【図１０】
0005480803.tif 000011